(57)【特許請求の範囲】
【請求項１】
原水を供給する水栓に取り付けされて内装した切替弁により原水を所定の吐水口や水路に切り替える切替ユニットと、上記切替ユニットとは別体で原水の水処理を行う処理ユニットと、切替ユニットの切替弁で切替えられた原水を処理ユニットに供給するための給水管と、処理ユニットで処理された処理水を切替ユニットに送水するための送水管とを備え、処理ユニットが切替ユニットから給水管を介して供給された水を電気分解することで電解水を得る電解水生成部を有して、この電解水生成部で生成されたアルカリイオン水又は酸性イオン水のうちの一方のみが送水管を介して切替ユニットに供給されるようにした電解水生成装置であって、切替ユニットに給水管接続口と送水管接続口を設け、給水管及び給水管接続口を送水管及び送水管接続口よりも径を大きくし、径の合致する給水管と給水管接続口とを接続すると共に、径の合致する送水管と送水管接続口とを接続したことを特徴とする電解水生成装置。
【請求項２】
給水管接続口と送水管接続口とを切替ユニットの側面に並設し、給水管の外径と同径の給水管挿通孔と送水管の外径と同径の送水管挿通孔とを形成した管取付部材を有し、この管取付部材を給水管と送水管との端部に給水管を給水管接続口に挿通させると共に送水管を送水管接続口に挿通させて取り付け、切替ユニットの側面に管取付部材を取り付け、給水管が給水管接続口に接続し且つ送水管が送水管接続口に接続する切替ユニットの側面への所定の取付位置に管取付部材が位置したときに合致する位置決め部及び被位置決め部を切替ユニットの側面及び管取付部材に設けたことを特徴とする請求項１記載の電解水生成装置。
【請求項３】
給水管接続口と送水管接続口とを切替ユニットの側面に並設し、給水管の外径と同径の給水管挿通孔と送水管の外径と同径の送水管挿通孔とを形成した管取付部材を有し、この管取付部材を給水管と送水管との端部に給水管を給水管接続口に挿通させると共に送水管を送水管接続口に挿通させて取り付け、給水管が給水管接続口に接続し且つ送水管が送水管接続口に接続する切替ユニットの側面への所定の取付位置に管取付部材が位置しないときに当接して管取付部材の切替ユニットの側面への近接を阻止する阻止部及び被阻止部を切替ユニットの側面及び管取付部材に設けたことを特徴とする請求項１記載の電解水生成装置。
【請求項４】
給水管接続口及び送水管接続口を切替ユニットの側面から外方に突出する筒状に各々形成し、この筒状の給水管接続口及び送水管接続口に各々先端程小径にするテーパ部を形成し、切替ユニットの側面に給水管接続口及び送水管接続口を囲繞する円筒状の周壁を設け、この周壁の外周面に雄ネジを刻設し、給水管と送水管との端部に取付けた管取付部材及び周壁に筒状のキャップ部材を被せて配置し、キャップ部材の内周面に刻設した雌ネジを周壁の雄ネジに螺合し、キャップ部材に設けた当接部を管取付部材に設けた被当接部に切替ユニットに向けて当接し、給水管接続口及び送水管接続口のテーパ部に外嵌した給水管及び送水管を管取付部材の給水管挿通孔及び送水管挿通孔の各孔内面で押圧したことを特徴とする請求項２または３記載の電解水生成装置。
【発明の詳細な説明】
【技術分野】
【０００１】
本発明は、電解水生成装置に関するものである。
【背景技術】
【０００２】
従来から、水処理装置１には、図９や図１０のように、原水を供給する水栓６に取り付けされて内装した切替弁２５により原水を所定の吐水口や水路に切り替える切替ユニット２と、上記切替ユニット２とは別体で原水の水処理を行う処理ユニット３とを有して構成されたものが知られている（たとえば特許文献１参照）。詳しくは、図９の水処理装置１は、水栓６からの原水が切替ユニット２を経て処理ユニット３に至り、処理ユニット３で生成した処理水が処理ユニット３に設けた処理水吐水口２９から吐水されるようになっている。つまり、切替ユニット２と処理ユニット３との間には、原水を切替ユニット２から処理ユニット３に供給するための給水管４が接続されている。一方、図１０の水処理装置１は、水栓６からの原水が切替ユニット２を経て処理ユニット３に至り、処理ユニット３で生成した処理水が切替ユニット２に戻されて切替ユニット２に設けた処理水吐水口２９から吐水されるようになっている。つまり、切替ユニット２と処理ユニット３との間には、原水を切替ユニット２から処理ユニット３に供給するための給水管４、処理ユニット３で処理された処理水を切替ユニット２に送水するための送水管５がそれぞれ接続されている。
【０００３】
ところで、上記のような切替ユニット２と処理ユニット３とが別体にされた水処理装置１は、水栓６に取り付ける切替ユニット２に対し、処理ユニット３を台所や洗面台等のカウンターや壁面等の任意箇所に適宜設置させることができる利点があり、つまり水処理装置１の設置箇所により切替ユニット２と処理ユニット３との距離が異なるから、適宜長さの給水管４や送水管５を切替ユニット２と処理ユニット３とに接続する施工が水処理装置１の設置現場で行われる。そして、この給水管４や送水管５の切替ユニット２と処理ユニット３とへの接続施工につき、前者の図９の水処理装置１にあっては、切替ユニット２と処理ユニット３とに接続するのは１本の給水管４であるから、切替ユニット２や処理ユニット３に設けた各給水管接続口７に給水管４の両端を接続すればよくて施工間違いが生じる余地はないが、後者の図１０の水処理装置１にあっては、切替ユニット２と処理ユニット３とに接続するのは給水管４と送水管５の２本の管であり、この２本の管は切替ユニット２や処理ユニット３に設けた給水管接続口や送水管接続口という各２つの接続口に適宜接続されるものであるが、このとき、たとえば処理ユニット３に適宜接続した給水管４が切替ユニット２の送水管接続口に誤って接続されると共に処理ユニット３に適宜接続した送水管５が切替ユニット２の給水管接続口に誤って接続される恐れがあり、この場合には、水処理装置１の正常動作は望むべくもなく、水処理装置１の故障も引き起こす恐れがあった。
【特許文献１】特開２００１−２５２６４７号公報
【発明の開示】
【発明が解決しようとする課題】
【０００４】
本発明は上記の従来の問題点に鑑みて為したものであって、別体の切替ユニットと処理ユニットとの間に給水管及び送水管を施工間違え無く接続できるようにした電解水生成装置を提供することを課題とするものである。
【課題を解決するための手段】
【０００５】
上記課題を解決するために本発明の請求項１に係る電解水生成装置は、原水を供給する水栓６に取り付けされて内装した切替弁２５により原水を所定の吐水口や水路に切り替える切替ユニット２と、上記切替ユニット２とは別体で原水の水処理を行う処理ユニット３と、切替ユニット２の切替弁２５で切替えられた原水を処理ユニット３に供給するための給水管４と、処理ユニット３で処理された処理水を切替ユニット２に送水するための送水管５とを備え、処理ユニット３が切替ユニット２から給水管４を介して供給された水を電気分解することで電解水を得る電解水生成部４１を有して、この電解水生成部４１で生成されたアルカリイオン水又は酸性イオン水のうちの一方のみが送水管５を介して切替ユニット２に供給されるようにした電解水生成装置であって、切替ユニット２に給水管接続口７と送水管接続口８を設け、給水管４及び給水管接続口７を送水管５及び送水管接続口８よりも径を大きくし、径の合致する給水管４と給水管接続口７とを接続すると共に、径の合致する送水管５と送水管接続口８とを接続したことを特徴とする。これによると、給水管４と送水管５の径を異ならせて形成すると共に、処理ユニット３に設けた給水管接続口７と送水管接続口８の径を異ならせて形成し、径の合致する給水管４と給水管接続口７とを接続すると共に、径の合致する送水管５と送水管接続口８とを接続したので、つまり径の合致しない管と管接続口とは接続することはできないため、給水管４及び送水管５を給水管接続口７及び送水管接続口８に施工間違え無く接続することができる。
【０００６】
また、請求項２に係る電解水生成装置は、請求項１において、給水管接続口７と送水管接続口８とを切替ユニット２の側面に並設し、給水管４の外径と同径の給水管挿通孔１０と送水管５の外径と同径の送水管挿通孔１１とを形成した管取付部材９を有し、この管取付部材９を給水管４と送水管５との端部に給水管４を給水管接続口７に挿通させると共に送水管５を送水管接続口８に挿通させて取り付け、切替ユニット２の側面に管取付部材９を取り付け、給水管４が給水管接続口７に接続し且つ送水管５が送水管接続口８に接続する切替ユニット２の側面への所定の取付位置に管取付部材９が位置したときに合致する位置決め部１２及び被位置決め部１３を切替ユニット２の側面及び管取付部材９に設けたことを特徴とする。これによると、切替ユニット２の側面に給水管接続口７と送水管接続口８とが並設される施工間違いの生じ易い状況であっても、給水管４の外径と同径の給水管挿通孔１０と送水管５の外径と同径の送水管挿通孔１１とを形成した管取付部材９は、給水管４を給水管接続口７に挿通させると共に送水管５を送水管接続口８に挿通させるといったことで、給水管４と送水管５との端部に適宜取り付けることができるのであり、そして、給水管４が給水管接続口７に接続し且つ送水管５が送水管接続口８に接続する切替ユニット２の側面への所定の取付位置に管取付部材９が位置したときに合致する位置決め部１２及び被位置決め部１３を切替ユニット２の側面及び管取付部材９に設けたので、上記給水管４と送水管５との端部に適宜取り付けた管取付部材９を位置決め部１２と被位置決め部１３とを合致させて切替ユニット２の側面に取り付けたことで、確実に給水管４を給水管接続口７に接続すると共に送水管５を送水管接続口８に接続することができるのであり、つまり、給水管４及び送水管５を給水管接続口７及び送水管接続口８に施工間違え無く接続することができる。
【０００７】
また、請求項３に係る電解水生成装置は、請求項１において、給水管接続口７と送水管接続口８とを切替ユニット２の側面に並設し、給水管４の外径と同径の給水管挿通孔１０と送水管５の外径と同径の送水管挿通孔１１とを形成した管取付部材９を有し、この管取付部材９を給水管４と送水管５との端部に給水管４を給水管接続口７に挿通させると共に送水管５を送水管接続口８に挿通させて取り付け、給水管４が給水管接続口７に接続し且つ送水管５が送水管接続口８に接続する切替ユニット２の側面への所定の取付位置に管取付部材９が位置しないときに当接して管取付部材９の切替ユニット２の側面への近接を阻止する阻止部１４及び被阻止部１５を切替ユニット２の側面及び管取付部材９に設けたことを特徴とする。これによると、切替ユニット２の側面に給水管接続口７と送水管接続口８とが並設される施工間違いの生じ易い状況であっても、給水管４の外径と同径の給水管挿通孔１０と送水管５の外径と同径の送水管挿通孔１１とを形成した管取付部材９は、給水管４を給水管接続口７に挿通させると共に送水管５を送水管接続口８に挿通させるといったことで、給水管４と送水管５との端部に適宜取り付けることができるのであり、そして、給水管４が給水管接続口７に接続し且つ送水管５が送水管接続口８に接続する切替ユニット２の側面への所定の取付位置に管取付部材９が位置しないときに当接して管取付部材９の切替ユニット２の側面への近接を阻止する阻止部１４及び被阻止部１５を切替ユニット２の側面及び管取付部材９に設けたので、上記給水管４と送水管５との端部に適宜取り付けた管取付部材９を切替ユニット２の側面に取り付ける際に、管取付部材９を切替ユニット２の側面に誤った位置関係で取り付けようとした場合には、阻止部１４と被阻止部１５とが当接して管取付部材９を切替ユニット２の側面への取付けが阻止されるのであるから、施工者に対して管取付部材９を切替ユニット２の側面に給水管４が給水管接続口７に接続され且つ送水管５が送水管接続口８に接続される正しい位置で取り付けるように導くことができるのであり、つまり、給水管４及び送水管５を給水管接続口７及び送水管接続口８に施工間違え無く接続することができる。
【０００８】
また、請求項４に係る電解水生成装置は、請求項２または３において、給水管接続口７及び送水管接続口８を切替ユニット２の側面から外方に突出する筒状に各々形成し、この筒状の給水管接続口７及び送水管接続口８に各々先端程小径にするテーパ部１６を形成し、切替ユニット２の側面に給水管接続口７及び送水管接続口８を囲繞する円筒状の周壁１７を設け、この周壁１７の外周面に雄ネジ１８を刻設し、給水管４と送水管５との端部に取付けた管取付部材９及び周壁１７に筒状のキャップ部材１９を被せて配置し、キャップ部材１９の内周面に刻設した雌ネジ２０を周壁１７の雄ネジ１８に螺合し、キャップ部材１９に設けた当接部２１を管取付部材９に設けた被当接部２２に切替ユニット２に向けて当接し、給水管接続口７及び送水管接続口８のテーパ部１６に外嵌した給水管４及び送水管５を管取付部材９の給水管挿通孔１０及び送水管挿通孔１１の各孔内面１０ａ，１１ａで押圧したことを特徴とする。これによると、給水管４及び送水管５を給水管接続口７及び送水管接続口８に施工間違い無く接続させるための管取付部材９を用いて、給水管４及び送水管５を給水管接続口７及び送水管接続口８に強固且つ水密的に接続させることができたものであり、つまり、給水管４及び送水管５の給水管接続口７及び送水管接続口８への接続構造の構成の簡略化を図ることができる。
【発明の効果】
【０００９】
本発明は、給水管及び送水管を給水管接続口及び送水管接続口に施工間違え無く接続できる、という利点を有する。
【発明を実施するための最良の形態】
【００１０】
以下、本発明を添付図面に示す実施形態に基いて説明する。
【００１１】
本例の水処理装置１は、図２のように、原水を供給する水栓６に取り付けされて内装した切替弁２５により原水を所定の吐水口や水路に切り替える切替ユニット２と、上記切替ユニット２とは別体で原水の水処理を行う水処理部を備えた処理ユニット３と、切替弁２５で切替えられた原水を処理ユニット３に供給するために切替ユニット２と処理ユニット３とを接続した給水管４と、処理ユニット３で処理された処理水を切替ユニット２に送水するために切替ユニット２と処理ユニット３とを接続した送水管５とを有して構成されている。給水管４や送水管５は可撓性を有するフレキシブルホースで構成されており、切替ユニット２と別体の処理ユニット３を台所の壁やフランジ上の任意位置に適宜に配設することができるようにされている。本例の水処理装置１では、図２（ｂ）のように原水を切替ユニット２に設けたストレート吐水口２８ａからストレート状に吐水する原水ストレートモード（矢印Ａ→Ｂ）、図２（ｃ）のように原水を切替ユニット２に設けたシャワー吐水口２８ｂからシャワー状に吐水する原水シャワーモード（矢印Ａ→Ｃ）、また、図２（ａ）のように原水を切替ユニット２により給水管４を介して処理ユニット３に供給し、処理ユニット３で生成した処理水を送水管５を介して切替ユニット２に設けた処理水吐水口２９から吐水する処理水モード（矢印Ａ→Ｄ→Ｅ→Ｆ→Ｇ→Ｈ→Ｉ→Ｊ）を有するものとされている。
【００１２】
切替ユニット２は、図１，３乃至５のように、上下に分割した上ケース２３ａと下ケース２３ｂとを接合してなるケース２３内に切替弁２５を設けた内部部材２４を組み込むと共に、切替弁２５の弁体２５ｂを操作する操作レバー２６を取り付けて形成されている。切替ユニット２は扁平薄型の外形を有しており、上面には水栓６が接続する水栓接続口２７が設けられ、底面には原水吐水口２８や処理水吐水口２９が設けられている。本例では原水吐水口２８としてはストレート吐水口２８ａとシャワー吐水口２８ｂとが設けられている。便宜上、水平面における矢印ａを前方とし、矢印ｂを後方とし、矢印ｃを左方とし、矢印ｄを右方とすると、切替ユニット２のケース２３の側面のうちの後面には給水管４や送水管５が接続される給水管接続口７や送水管接続口８が設けられており、切替ユニット２のケース２３の側面のうちの左右面及び前面には操作レバー２６が沿うように設けてある。
【００１３】
内部部材２４は切替弁２５と各種水路とが一体に形成されている。切替弁２５は、略水平に横倒しされたような有底筒形状に形成された弁室２５ａと、弁室２５ａ内に略水平軸廻りに回転自在に配置された弁体２５ｂとを有して構成される。上記各種水路としては、弁室２５ａからストレート吐水口２８ａに至るストレート吐水向け水路３０、弁室２５ａからシャワー吐水口２８ｂに至るシャワー吐水向け水路３１、弁室２５ａから給水管接続口７に至る処理ユニット向け水路３２、送水管接続口８から処理水吐水口２９に至る処理水吐水向け水路３３が備えられている。弁室２５ａは水栓６を接続する水栓接続口２７に連通されており、弁室２５ａ内の弁体２５ｂを回転させて弁室２５ａ内での弁体２５ｂの回転位置を変更することで、弁室２５ａ内に開口する各水路３０，３１，３２の入口が適宜開閉されて水栓６からの原水が選択された各水路３０，３１，３２に向けて流れるようにされている。ここで、処理水吐水向け水路３３は処理ユニット向け水路３２の上位置に重なるように配置されており、上記いずれの水路も切替弁２５の後側から左側に廻り込むように配置される平面視Ｌ字管状に形成されている。なお、処理水吐水向け水路３３の下流部分には切替ユニット２の上下に亙るような垂直管状の整流部３４が形成されて処理水吐水口２９に至っており、この整流部３４にはその管内面に処理水を整流させる整流ひれ３４ａが形成されている（図５）。また、処理水吐水向け水路３３は処理ユニット向け水路３２の上位置に重なって配置されているから、切替ユニット２の後面では送水管接続口８は給水管接続口７の上方に並ぶようにして配置されている。なお、上記略水平に横倒しされた有底筒形状の弁室２５ａはその筒開口が切替ユニット２の右方に開口し、弁室２５ａ内に配置された弁体２５ｂはその一端が弁室２５ａの筒開口から弁室２５ａ外に突出されている。この弁室２５ａ外に突出した弁体２５ｂの一端には操作レバー２６の接続用軸受部３８に連結される接続軸部３５が形成されている。具体的に上記接続軸部３５は略Ｄ字断面の軸状に形成されている。
【００１４】
操作レバー２６は棒状の把持部２６ａの両端に脚片２６ｂを突設させたコ字形状の部材であり、切替ユニット２の側面における左面や右面に脚片２６ｂを沿わせると共に切替ユニット２の側面における前面に把持部２６ａを沿わせるようにして、切替ユニット２に取り付けられる。詳しくは、操作レバー２６の左右一対の脚片２６ｂにはそれぞれ対向する切替ユニット２の側面（左面、右面）に設けた軸受部３６に回転自在且つ着脱自在に枢支される枢支部３７が設けられており、右側の脚片２６ｂには上記枢支部３７に加えて弁体２５ｂの接続軸部３５に連結される断面Ｄ字孔状の接続用軸受部３８が形成されている。つまり、操作レバー２６は、切替ユニット２の側面（左面、右面）の各軸受部３６に各脚片２６ｂの枢支部３７がそれぞれ枢支されたことで、切替ユニット２の前面に沿う把持部２６ａが上下方向に回動自在にされており、そして弁体２５ｂの接続軸部３５に接続用軸受部３８を連結されたことで、把持部２６ａの上下の回動操作に伴って切替弁２５の弁体２５ｂの回転位置が変化して原水が所定の流路（３０，３１，３２）に切替可能になっている。
【００１５】
処理ユニット３は、図６及び図７のように、原水を濾過して浄水を得る浄水生成部４０と、水を電気分解することでアルカリ性または酸性の水質を備えた電解水を得る電解水生成部４１とを有し、上記給水管４ａを通って供給された原水に浄水処理や電解処理の施された処理水を生成できるようにしてある。
【００１６】
詳しくは、処理ユニット３は、幅寸法や高さ寸法に比べて奥行寸法の短い扁平な箱状のハウジング３９を有し、このハウジング３９内には処理ユニット３に接続した給水管４から送水管５に至る内部流路４２を有し、この内部流路４２に上流側から浄水生成部４０、電解水生成部４１が順に配置されている。ここで、浄水生成部４０は活性炭や中空糸膜などの濾材を備えた浄水カートリッジで構成され、この浄水カートリッジはハウジング３９の後面から取替自在にされている。また、電解水生成部４１は、電解槽４３の内部に２種の電極４４，４５とこの両者を仕切る電解隔膜４３ａとを備えて構成されている。つまり、電解槽４３内には電解隔膜４３ａで仕切られた電極４４側の空間（以下、主室４６という）と、電極４５側の空間（以下、副室４７という）とが形成されている。電極４４，４５はハウジング３９内に内装された制御部４８を介して給電されるようになっている。
【００１７】
浄水生成部４０の下流の内部流路４２には流量センサ４９が設けられ、流量センサ４９の下流の内部流路４２は２つに分岐されており、一方の分岐流路５０は電解槽４３の主室４６に至っており、他方の分岐流路５１は電解質添加筒５２を経て電解槽４３の副室４７に至っている。流量センサ４９は制御部４８に接続されており、制御部４８による電極４４，４５への通電は流量センサ４９から得られる流量の情報に基づいて所定のｐｈ値の電解水を得るように適切に行われるようになっている。電解質添加筒５２は、電解質を電解槽４３に至る水に供給して電解槽４３での水の電気分解の効率を向上させる役割を担うものであり、カートリッジ式でハウジング３９の後面から取替自在にされている。本例の電解質添加筒５２はカルシウム添加筒で構成されており、電解槽４３での水の電気分解の効率を向上させる役割の他に、電解水に有用成分を溶解させる役割も担っている。主室４６からは電解槽４３で生成された電解水を流す内部流路４２が送水管５に至るように設けられ、副室４７からは電解槽４３での電解水生成の際に生じる副次的な電解水を排出する排水流路５３が設けられている。なお本例では上記一方の分岐流路５０は電解槽４３の主室４６に至る手前で更に分岐されて一方が電解槽４３の主室４６に至り、他方が絞り部５４を経て排水流路５３に至っている。この絞り部５４は一方及び他方の分岐流路５０，５１に流れる水量を調節するものであり、具体的には主室４６に至る一方の分岐流路５０の流量を副室４７に至る他方の分岐流路５１の流量に比べて少なくする役割を担っている。なお、内部流路４２の入口４２ａ及び出口４２ｂはハウジング３９の底面に設けられ、排水流路５３はハウジング３９の底面から排出ホース５５を延出させて出口５３ａをハウジング３９外に設けている。なお図中５６は制御部４８から延出された給電線である。
【００１８】
上記制御部４８はハウジング３９の前面と上面との間に形成されたＲ部３９ａに沿って配置された操作部５７によって操作可能にされている。ここで、処理ユニット３で生成する処理水をアルカリイオン水とするべく使用者が操作部５７を操作した際には、制御部４８によって、主室４６の電極４４が陰極に、副室４７の電極４５が陽極となるように電解電圧が印加され、内部流路４２にアルカリイオン水が流れ、排水流路５３に酸性イオン水が流れるようになる。一方、処理ユニット３で生成する処理水を酸性イオン水とするべく使用者が操作部５７を操作した際には、制御部４８によって、主室４６の電極４４が陽極に、副室４７の電極４５が陰極となるように電解電圧が印加され、内部流路４２に酸性イオン水が流れ、排水流路５３にアルカリイオン水が流れるようになっている。また、処理ユニット３で生成する処理水をｐｈ値を変化させずにごみ等を除去するのみの浄水とするべく使用者が操作部５７を操作した際には、制御部４８によって、電極４４，４５への電解電圧の印加を行わないようにし、浄水生成部４０で生成した浄水が電解槽４３をそのまま通過して内部流路４２に流れるようになる。
【００１９】
切替ユニット２と処理ユニット３とは給水管４及び送水管５によって接続される。詳しくは、給水管４は入口４ａが給水管接続口７に接続され、その出口４ｂが処理ユニット３の内部流路４２の入口４２ａに接続される。また、送水管５は入口５ａが処理ユニット３の内部流路４２の出口４２ｂに接続され、出口５ｂが送水管接続口８に接続される。本例の給水管４及び送水管５は二又状に離間させた両端部を除いて一体化された可撓性を有したフレキシブルホースで構成されており、各々隣接して配置した給水管接続口７及び送水管接続口８、内部流路４２の入口４２ａ及び出口４２ｂに接続されるようになっている。
【００２０】
ところで、本例では、給水管４及び送水管５の給水管接続口７及び送水管接続口８への接続を間違わないように行わせる工夫を施したことに特徴を有しており、以下に詳述する。
【００２１】
本例の給水管４と送水管５とはそれぞれ径を異ならせて形成されている。また、処理ユニット３に設けた給水管接続口７と送水管接続口８も径を異ならせて形成されている。そして、径の合致する給水管４と給水管接続口７とを接続すると共に、径の合致する送水管５と送水管接続口８とを接続させている。具体的には、上述のように処理ユニット３では給水された原水の一部を排水流路５３から排水する構造とされているため、給水管４や給水管接続口７が径を大にして形成され、送水管５や送水管接続口８が径を小にして形成されている。そして、給水管４や送水管５は筒状に形成された給水管接続口７や送水管接続口８にそれぞれ外嵌して接続されるようになっている。つまり、径の小さい送水管５を径の大きい給水管接続口７に接続しようとしても接続することができないため、給水管４及び送水管５の給水管接続口７及び送水管接続口８への接続に間違いが生じないようになっているのである。
【００２２】
また、施工者の視覚に訴えて給水管４及び送水管５の給水管接続口７及び送水管接続口８への接続に間違いが生じないようにさせることも好ましい。たとえば、給水管４の内管面と給水管接続口７の内管面とを同色にすると共に、送水管５の内管面と送水管接続口８の内管面とを上記給水管４の内管面の色と異なる色を用いて同色にすることができる。これによると、給水管４や送水管５の外観には変化を与えずに水処理装置１の良好な外観を維持しつつも、施工者の視覚に訴えて給水管４及び送水管５の給水管接続口７及び送水管接続口８への接続に間違いを生じさせないようにできる。
【００２３】
詳しくは、図５のように本例の給水管接続口７及び送水管接続口８は切替ユニット２の後面から後方に突出する筒状に形成されており、この筒状の給水管接続口７及び送水管接続口８にはそれぞれ後方程外径が細くなるようなテーパ部１６が施されている。また、切替ユニット２の後面には給水管接続口７及び送水管接続口８の周囲を囲繞する円筒状の周壁１７が形成され、この周壁１７の外周面には雄ネジ１８が刻設されている。なお、給水管接続口７及び送水管接続口８は周壁１７よりも後方に突出するように形成されている。また、図８（ａ）のように給水管接続口７及び送水管接続口８に接続する側の給水管４及び送水管５の端部には管取付部材９が取り付けられる。管取付部材９は有底筒状に形成されその筒底面に給水管４の外径と同径の給水管挿通孔１０と送水管５の外径と同径の送水管挿通孔１１とが穿設されている。この管取付部材９は、給水管挿通孔１０に給水管４を挿通させると共に送水管挿通孔１１に送水管５を挿通させることで、給水管４及び送水管５の端部に取り付けられる。給水管４や送水管５は、切替ユニット２の後方から給水管接続口７や送水管接続口８の各テーパ部１６に無理嵌めした状態で外嵌し、周壁１７にキャップ部材１９を取り付けることで管取付部材９を介して強固且つ水密的に接続される。
【００２４】
ここで、キャップ部材１９は筒状に形成されており、一方の筒開口近傍の内周面には雌ネジ２０が刻設され、他方の筒開口には内方に突出するフランジ状の当接部２１が周方向に亙って設けられている。このキャップ部材１９は、その筒内部に給水管４及び送水管５の端部に取り付けた管取付部材９を位置させ、内周面の雌ネジ２０を周壁１７の雄ネジ１８に螺合させることで切替ユニット２にその後方から周壁１７や管取付部材９を外側から覆うようにして取り付けられる。キャップ部材１９を回転させて周壁１７の雄ネジ１８に内周面の雌ネジ２０を螺進させることで、キャップ部材１９は切替ユニット２に向けて近接していくのであるが、このときにはキャップ部材１９の当接部２１が被当接部２２となる管取付部材９の筒底面の外縁部に当接し、キャップ部材１９に伴って管取付部材９も切替ユニット２に向けて近接していく。管取付部材９が切替ユニット２に向けて近接すると、管取付部材９の給水管挿通孔１０や送水管挿通孔１１の各孔内面１０ａ，１１ａが、給水管接続口７や送水管接続口８の各テーパ部１６に径を広げるように無理嵌め状態で外嵌されている給水管４や送水管５を外側から押圧するのであり、つまり、図１のように、給水管４や送水管５は管取付部材９の給水管挿通孔１０や送水管挿通孔１１の各孔内面１０ａ，１１ａと給水管接続口７や送水管接続口８の各テーパ部１６との間に挟持されることとなり、強固且つ水密的に給水管接続口７や送水管接続口８に本接続されるようになっている。
【００２５】
上記のように、キャップ部材１９や管取付部材９を用いた給水管４及び送水管５の給水管接続口７及び送水管接続口８への本接続の前段階では、図８（ｂ）のように、管取付部材９を取り付けた状態の給水管４や送水管５を給水管接続口７や送水管接続口８に外嵌して仮接続するのであるが、本例では、管取付部材９を用いた、給水管４や送水管５の給水管接続口７や送水管接続口８への仮接続に間違いを生じさせない工夫が施されている。つまり、切替ユニット２の周壁１７の内部に後方に突出する嵌合突部５８が形成され、管取付部材９の筒内部に上記突起５８が嵌り込む嵌合孔部５９を形成している。本例では、嵌合突部５８は給水管接続口７や送水管接続口８を結ぶ線に対して直交する方向である左右対称位置に１対設けられている。１対の嵌合突部５８のうち一方の嵌合突部５８は矩形ブロック状のブロック状突起５８ａで構成され、他方の嵌合突部５８は間に隙間を設けて並設した１対の棒状突起５８ｂ，５８ｂで構成されている。また、嵌合孔部５９も各嵌合突部５８に対応して管取付部材９に１対設けられている。１対の嵌合孔部５９のうち一方の嵌合孔部５９はブロック状突起５８ａの嵌合突部５８が嵌り込む単一孔５９ａで構成され、他方の嵌合孔部５９は１対の棒状突起５８ｂ，５８ｂが嵌り込む間に仕切り壁５９ｃを介した並設孔５９ｂで構成されている。この嵌合突部５８及び嵌合孔部５９は、管取付部材９が切替ユニット２の後面に所定の状態（給水管４及び送水管５が給水管接続口７及び送水管接続口８に接続可能な状態）で近接したときに嵌合可能になっている。
【００２６】
給水管４や送水管５を給水管接続口７や送水管接続口８に仮接続させる際に、給水管４や送水管５の端部に取り付けられた管取付部材９は給水管４や送水管５と一緒に切替ユニット２に近接されるのであるが、このとき、嵌合突部５８と嵌合孔部５９とを嵌合させることで切替ユニット２に対して管取付部材９を所定の状態（給水管４及び送水管５が給水管接続口７及び送水管接続口８に接続可能な状態）で近接でき、つまり、給水管４や送水管５を給水管接続口７や送水管接続口８に対応して位置させることができるから、給水管４や送水管５の給水管接続口７や送水管接続口８への仮接続に間違いが生じないようになっている。換言すると、上記嵌合突部５８と嵌合孔部５９は、給水管４が給水管接続口７に接続し且つ送水管５が送水管接続口８に接続する切替ユニット２の後面への所定の取付位置に管取付部材９が位置したときに合致する位置決め部１２と被位置決め部１３を構成するものであり、給水管接続口７や送水管接続口８の有る切替ユニット２の後面に対して給水管４及び送水管５に所定状態で取付けられた管取付部材９を位置決め配置でき、つまり、給水管４を給水管接続口７への所定の接続位置に、送水管５を送水管接続口８への所定の接続位置にそれぞれ位置させることができるから、給水管４や送水管５の給水管接続口７や送水管接続口８への仮接続に間違いが生じないようになっているのである。
【００２７】
更に言うと、本例では、送水管接続口８が上位置に給水管接続口７が下位置に位置して上下に隣接して並設されている。具体的に、給水管４や送水管５を間違って給水管接続口７や送水管接続口８に接続しようとするときは、給水管４を上位置に且つ送水管５を下位置にして給水管接続口７や送水管接続口８に近接させるといった場合である。このときには、給水管４や送水管５に取り付けた管取付部材９は上下逆方向になるから、管取付部材９の１対の嵌合孔部５９は単一孔５９ａで構成された一方の嵌合孔部５９が１対の棒状突起５８ｂ，５８ｂで構成された他方の嵌合突部５８に近接すると共に、並設孔５９ｂで構成された他方の嵌合孔部５９がブロック状突起５８ａで構成された一方の嵌合突部５８に近接するようになる。そして、このときには、少なくともブロック状突起５８ａである一方の嵌合突部５８が他方の嵌合孔部５９である並設孔５９ｂの間の仕切り壁５９ｃに当接することとなるから、間違った位置にある管取付部材９の切替ユニット２の後面への近接は妨げられるようになっている。
【００２８】
上記のように嵌合突部５８が他方の嵌合孔部５９への嵌合が仕切り壁５９ｃによって妨げられられた際には、施工者は管取付部材９を取り付けた給水管４や送水管５の位置が給水管接続口７や送水管接続口８に対して間違った位置にあることがわかり、給水管４や送水管５の位置を上下反転させて給水管接続口７や送水管接続口８への正しい接続位置に位置させるように導くことができるから、給水管４や送水管５の給水管接続口７や送水管接続口８への仮接続に間違いが生じないようになっているのである。換言すると、嵌合孔部５９の仕切り壁５９ｃと該仕切り壁５９ｃにぶつかる嵌合突部５８の部位（ブロック状突起５８ａ）は、給水管４が給水管接続口７に接続し且つ送水管５が送水管接続口８に接続する切替ユニット２の側面への所定の取付位置に管取付部材９が位置しないときに当接して管取付部材９の切替ユニット２の側面への近接を阻止する阻止部１４と被阻止部１５を構成するものであり、給水管４及び送水管５に取り付けられた管取付部材９を間違った位置で給水管接続口７や送水管接続口８の有る切替ユニット２の後面に対して近接させ得ないようにできるから、給水管４や送水管５の給水管接続口７や送水管接続口８への仮接続に間違いが生じないようになっているのである。
【図面の簡単な説明】
【００２９】
【図１】本発明の実施の形態の例の水処理装置であり、（ａ）は切替ユニットの側断面図であり、（ｂ）は管取付部材の正面図であり、（ｃ）は（ａ）のＫ−Ｋ線断面図である。
【図２】（ａ）は同上の水処理装置の全体斜視図であり、（ｂ），（ｃ）は要部の斜視図である。
【図３】同上の切替ユニットの分解斜視図である。
【図４】同上の切替ユニットの要部の斜視図である。
【図５】図１（ａ）とは別断面の同上の切替ユニットの側断面図である。
【図６】同上の処理ユニットを説明する説明図である。
【図７】同上の処理ユニットを後部側から見た分解斜視図である。
【図８】（ａ）（ｂ）は同上の給水管及び送水管の切替ユニットへの接続施工を順に説明する説明図である。
【図９】従来技術の例の水処理装置の全体斜視図である。
【図１０】従来技術の他例の水処理装置の全体斜視図である。
【符号の説明】
【００３０】
１  水処理装置
２  切替ユニット
３  処理ユニット
４  給水管
５  送水管
６  水栓
７  給水管接続口
８  送水管接続口
９  管取付部材
１０  給水管挿通孔
１１  送水管挿通孔
１２  位置決め部
１３  被位置決め部
１４  阻止部
１５  被阻止部
１６  テーパ部
１７  周壁
１８  雄ネジ
１９  キャップ部材
２０  雌ネジ
２１  当接部
２２  被当接部
【図１】
0004613836.tif 000002
【図２】
0004613836.tif 000003
【図３】
0004613836.tif 000004
【図４】
0004613836.tif 000005
【図５】
0004613836.tif 000006
【図６】
0004613836.tif 000007
【図７】
0004613836.tif 000008
【図８】
0004613836.tif 000009
【図９】
0004613836.tif 000010
【図１０】
0004613836.tif 000011